(57)【要約】【課題】  一次巻線と二次巻線が一直線上に並んだ従来の幅の狭いインバータトランスにおいては、コアの断面積を変えられず、一次巻線の巻数を減らして銅損を低減することが出来なかった。【解決手段】  水平端部31、32を有する下コア30と、外脚41、42を両端に有する上コア40と、上下方向の貫通孔11のある一次ボビン10と、水平方向の貫通孔21のある二つの二次ボビン20と、一次ボビン10に巻回された一次巻線１と、二つの二次ボビン20にそれぞれ巻回された２本の二次巻線２とを備える。下コア30に設けた中央脚33を一次ボビン10の貫通孔11に挿入し、下コア30の水平端部31、32をそれぞれ第１、第２の二次ボビン20の貫通孔21に挿入する。【選択図】    図１
2008071996.tif 000002
【特許請求の範囲】
【請求項１】
巻線軸が上下方向で下部に端子が取付けられた一次ボビンと、巻線軸が水平方向で下部に端子が取付けられた二つの二次ボビンと、一次ボビンに巻回された一次巻線と、二つの二次ボビンにそれぞれ巻回された二次巻線とを備え、二つの二次ボビンと一次ボビンを、一次ボビンを中央にして一直線上に配置したことを特徴とするインバータトランス。
【請求項２】
反対方向に水平に延びた第１、第２の水平端部を有する下コアと、下コアに突き合わされた外脚を両端に有する上コアと、上下方向の貫通孔のある巻軸を有する一次ボビンと、水平方向の貫通孔のある巻軸を有する第１、第２の二次ボビンと、一次ボビンの巻軸に巻回された一次巻線と、第１、第２の二次ボビンのそれぞれの巻軸に巻回された二次巻線とを備え、上コアまたは下コアの少なくとも一方に、他方のコアに向かって突出した中央脚を一体に形成し、該中央脚を一次ボビンの巻軸の貫通孔に挿入し、下コアの第１、第２の水平端部をそれぞれ第１、第２の二次ボビンの巻軸の貫通孔に挿入した請求項１のインバータトランス。
【請求項３】
中央脚を下コアのみに形成した請求項２のインバータトランス。
【請求項４】
一次ボビンの対向する二側面に取付けた端子に一次巻線のリード線を接続し、二次ボビンの対向する二側面に取付けた端子に二次巻線のリード線を接続した請求項２のインバータトランス。
【発明の詳細な説明】
【技術分野】
【０００１】
本発明は放電灯を点灯させるインバータ回路に用いられるインバータトランスに係り、特に二出力型のインバータトランスの構成に関するものである。
【背景技術】
【０００２】
一つのトランスで二つの出力が得られるようにした二出力型のインバータトランスが用いられている。一出力型トランスを２個使うよりも実装面積が小さくなり、インバータを小型化できるうえコスト的にも有利である。このような従来の二出力型インバータトランスとしては、特許文献１記載のような巻線の中心軸すなわち巻線軸が上下方向の縦型のものや、特許文献２に開示されたような巻線軸が水平方向の横型のものがある。
【０００３】
特許文献２のインバータトランスは一次巻線の両側に一対の二次巻線を配置したもので、一次巻線と二次巻線は鍔で区分されて共通のボビンに巻回されている。Ｉ字形のコアがボビンの巻軸の中を貫通しており、一次巻線及び二次巻線の巻軸の中心は同一直線上に位置している。このように一次巻線と二次巻線を一直線上に並べたインバータトランスは全体の幅が小さくなり、プリント基板上の細長いスペースに実装できる利点がある。
【特許文献１】特開２００１−１２６９３７号公報
【特許文献２】実開平７−２２５２８号公報
【発明の開示】
【発明が解決しようとする課題】
【０００４】
インバータトランスにおける一次巻線の電気抵抗による発熱、すなわち銅損が問題となることがある。この銅損を減らすには一次巻線を短くして巻数を少なくする必要がある。今、入力電圧をＶｉｎ、最大磁束密度をＢｍ、コアの断面積をＳ、周波数をｆとしたとき、一次巻線の巻数Ｎ１は次式のような関係にある。
Ｎ１≧Ｖｉｎ  ／（２Ｂｍ・Ｓ・ｆ）
したがって、一次巻線の巻数Ｎ１を減らすためにはコアの断面積Ｓを大きくすればよいことになる。ところが、特許文献２の構造では一次巻線及び二次巻線の中心を通るコアの断面積Ｓが同一となり、一次巻線の巻数Ｎ１を減らすことは出来なかった。
【課題を解決するための手段】
【０００５】
本発明は、インバータトランスにおいて、巻線軸が上下方向で下部に端子が取付けられた一次ボビン10と、巻線軸が水平方向で下部に端子が取付けられた二つの二次ボビン20と、一次ボビン10に巻回された一次巻線１と、二つの二次ボビン20にそれぞれ巻回された二次巻線２とを備え、二つの二次ボビン20と一次ボビン10を、一次ボビン10を中央にして一直線上に配置した構成を特徴とする。
また本発明は、このようなインバータトランスにおいて、反対方向に水平に延びた第１、第２の水平端部31、32を有する下コア30と、下方に突出して下コア30に突き合わされた外脚41、42を両端に有する上コア40と、上下方向の貫通孔11のある巻軸12を有する一次ボビン10と、水平方向の貫通孔21のある巻軸22を有する第１、第２の二次ボビン20と、一次ボビン10の巻軸12に巻回された一次巻線１と、二つの二次ボビン20のそれぞれの巻軸22に巻回された２本の二次巻線２とを備え、上コア40または下コア30の少なくとも一方に、他方のコアに向かって突出した中央脚33を一体に形成し、この中央脚33を一次ボビン10の巻軸の貫通孔11に挿入し、下コア30の第１、第２の水平端部31、32をそれぞれ第１、第２の二次ボビン20の巻軸の貫通孔21に挿入した構成を特徴とする。
【発明の効果】
【０００６】
本発明によれば、一次巻線を巻回する部分のコアの断面積を容易に拡大でき、一次巻線の巻数を減らすことが可能となる。その結果、銅損及び発熱が少なく全体幅の小さいインバータトランが得られる。また、一体型のボビンに比べてボビン構造が簡単で巻線の自動化も容易である。
【実施例】
【０００７】
図１は本発明によるインバータトランスの一実施例を示すものである。一次ボビン10は、図２から明らかなように上下方向の貫通孔11のある巻軸12を有し、下部の対向する二側面に複数の端子13を取り付けてある。図２では省略しているが一次巻線１を巻軸12に巻回し、そのリード線を端子13に接続してある。一次巻線１の巻線軸は上下方向となる。
【０００８】
一次ボビン10の両側に二次ボビン20が対称的に配置してあり、一次ボビン10と二つの二次ボビン20が一直線上に一列に並んだ状態にある。図２に示すように、二つの二次ボビン20は共に水平方向の貫通孔21のある巻軸22を有し、下部の対向する二側面に複数の端子23を取り付けてある。図２では省略したが、二次巻線２を巻軸22に巻回し、そのリード線を端子23に接続してある。二次巻線２は複数の鍔25で区分されて分割巻きされており、その巻線軸は水平方向となる。
【０００９】
30、40は上下に突き合わされて二つの閉磁路を形成する一対のコアである。図３に示すように、下コア30には、互いに反対方向に水平に延びた水平端部31、32と、上方に突出した中央脚33を一体に形成してある。上コア40の両端部には下方に突出した外脚41、42を設けてある。コア30の中央脚33は図１のように一次ボビン10の巻軸12の貫通孔11に挿入し、下コア30の水平端部31、32はそれぞれ二次ボビン20の巻軸22の貫通孔21に挿入する。そして、上コア40の外脚41、42を下コア30に突き合わせて固定してある。
【００１０】
中央脚33は上コア40に形成してもよく、あるいは上コア40と下コア30の両方に分割して設けてもよい。また、図４に示すように一次ボビン10と二次ボビン20の間に位置する突出部35を下コア30又は上コア40に形成して、一次巻線１と二次巻線２の電磁結合度を調整できるようにしてもよい。
【図面の簡単な説明】
【００１１】
【図１】本発明のトランスの一実施例を示す正面断面図
【図２】同トランスのボビンの分解斜視図
【図３】同トランスのコアの分解斜視図
【図４】本発明トランスの他の実施例を示す正面断面図
【符号の説明】
【００１２】
１・・・一次巻線
２・・・二次巻線
10・・・一次ボビン
20・・・二次ボビン
30・・・下コア
31、32・水平端部
33・・・中央脚
40・・・上コア
【図１】
2008071996.tif 000003
【図２】
2008071996.tif 000004
【図３】
2008071996.tif 000005
【図４】
2008071996.tif 000006